(57)【特許請求の範囲】
【請求項１】
片方の眼用の映像を画面の右半分に、他方の眼用の映像を画面の左半分にくるようにした立体写真型の３次元立体映像について、この立体写真型の３次元立体映像の映像信号の右画面、左画面をそれぞれ切り取ってから上記画面の最大限の大きさに変換拡大し、これを２つの眼のそれぞれ専用の映像信号とするようにした３次元立体映像信号変換装置の映像撮影用の光学アダプター装置において、
上記立体写真型の３次元立体映像を取り入れるための光学部分と、
上記右画面、左画面をそれぞれ切り取ったときに不要となる映像の上下部分をカットするように構成した光学系とを備え、
上記右画面、左画面のそれぞれの概略中央に映像の概略中心であることを示すマークを、上記立体写真型の３次元立体映像の不要となる映像の上記カットされる部分に配設するように構成したことを特徴とする３次元立体映像信号変換装置の映像撮影用の光学アダプター装置。
【請求項２】
上記立体写真型の３次元立体映像を取り入れるための光学部分に、画像を広角にする広角手段を配設するように構成したことを特徴とする請求項１記載の３次元立体映像信号変換装置の映像撮影用の光学アダプター装置。
【発明の詳細な説明】
【０００１】
【発明の属する技術分野】
本発明は、いわゆる「立体写真（ステレオ・ペア）」のように撮影したビデオ画像を処理することにより、右眼用と左眼用のそれぞれ専用の映像信号を得るようにした３次元立体映像信号変換装置のための３次元立体映像信号変換装置の映像撮影用の光学アダプター装置に関するものである。
【０００２】
【従来の技術】
いわゆる立体テレビなどの３次元立体視視覚装置が開発されても、これを見るための３次元（３Ｄ）用のソフトウェアを自分で撮影したり、記録再生するには、ビデオカメラ装置自体や撮影方法、ビデオテープレコーダ（ＶＴＲ）の取り扱いなどが大変であり、簡易的な方法が求められている。
【０００３】
３次元の立体映像を撮影するためには、通常２台のビデオカメラを、その撮影レンズを人間の両眼の幅（通常約６５ｍｍ）離して設置して行なう。この場合、特性の合った２台のビデオカメラを用意し、撮影レンズが眼幅だけ離れた状態にしっかりと固定する必要がある。しかもこの２つのビデオカメラから出る映像信号を、同期して動く２つのＶＴＲで記録再生する必要があった。
【０００４】
もっとも、現在ではいわゆるＷ−ＶＨＳのように、１本のテープで２つの映像信号を同時に録画できる機器が市販されているので、これを使って録画再生してやってもよい。この２つの映像信号を立体視するには、たとえば２台のビデオプロジェクタを用いて、互いに偏光方向が直交する投射光としてスクリーンに投影し、これに対応する偏光フィルターの付いた偏光眼鏡をかけて見る方法が知られている。
【０００５】
更に上記記録再生を簡単にする方法としては、左眼用、右眼用の２つの映像信号を、フィールド毎に交互に左眼用、右眼用の映像がくるようにした一つの映像信号にする技術が知られている。この信号をテレビ画面上に映し出し、同期して交互に片方の眼を塞ぐようにしたシャッタ付き眼鏡をかけて見れば立体視できるわけである。
【０００６】
また、もっと簡易的な撮影方法としては、画面の右半分、左半分に、光学的手法により右眼用、左眼用の映像を映し出す、いわゆる「立体写真」のような形でビデオ撮影する手法を用いることである。さらに、「立体写真」を写真機でスライドを撮影するアダプターおよびビューワも市販されている。このアダプターで撮ると、右眼用は画面右半分に、左眼用は左半分に映されるので、小さなテレビ画面で２つの画面の中心のズレが眼幅以下ならば裸眼立体視が可能となる。さらにまた、もっと大画面の場合は、クサビ型の特殊レンズを付けて見ればよい（特開昭５９−３０３９０号公報参照）。
【０００７】
【発明が解決しようとする課題】
しかしながら、上記従来の２台のビデオカメラを使う立体映像の撮影法では、２台の撮影レンズを眼幅だけ常に離しておくために、２台をがっちりと一体に固定しておく必要があった。そのためにはしっかりした三脚などに載せて撮影することになり、機動性にはなはだ乏しく、また手持ちの撮影などはできなかった。さらにズームアップなどしようと、２台を連動してレンズを動かす必要があり、操作が煩雑であった。また、特性の合った２台のビデオカメラが必要であり、使用者には経済的にも大きな負担をしいるものであるという不都合があった。
【０００８】
これに対して、１台のビデオカメラで立体写真的な撮影をすれば良いことになるが、この方法で撮った映像を見るには、テレビ画面の中央に顔を置く必要があり、見る位置が限定された。しかも画面を右左で半分に割った縦長の映像しか見えないという不都合があった。また、大きい画面の場合、クサビ型の特殊レンズを眼にかける必要があった。
【０００９】
片方の眼用の映像を画面の右半分に、他方の眼用の映像を画面の左半分にくるようにした立体写真型の３次元立体映像について、この立体写真型の３次元立体映像の映像信号の右画面、左画面をそれぞれ切り取ってから上記画面の最大限の大きさに変換拡大し、これを２つの眼のそれぞれ専用の映像信号とするようにした３次元立体映像信号変換装置の映像撮影用の光学アダプター装置においては、前記右画面、左画面を切り取ったときに不要となる映像の上下部分も含めた画像を撮影するための光学系が用いられていた。このため、光学アダプター装置を小型にすることができないものであった。
また、立体写真型の３次元立体映像を取り入れる際に、１枚の画面に左眼用映像と右眼用映像とを写したとき左右の映像の画角が著しく小さいものとなるという問題があった。
また前記裸眼立体視を行う場合は、めやすとなるものがないと実行しずらいものであった。
そこで、本発明は、画面の右半分、左半分に、光学的手法により右眼用、左眼用の映像を映し出す、いわゆる「立体写真」のような形でビデオ撮影する手法によって撮られた形の映像信号を、フィールド毎に交互に右眼用、左眼用の映像が入った映像信号に変換したり、または右眼用、左眼用の２つの独立した映像信号に変換等する３次元立体映像信号変換装置において、前記課題を解決した３次元立体映像信号変換装置の映像撮影用の光学アダプター装置を提供するものである。
【００１０】
【課題を解決するための手段】
本発明は、片方の眼用の映像を画面の右半分に、他方の眼用の映像を画面の左半分にくるようにした立体写真型の３次元立体映像について、この立体写真型の３次元立体映像の映像信号の右画面、左画面をそれぞれ切り取ってから上記画面の最大限の大きさに変換拡大し、これを２つの眼のそれぞれ専用の映像信号とするようにした３次元立体映像信号変換装置の映像撮影用の光学アダプター装置において、上記立体写真型の３次元立体映像を取り入れるための光学部分と、
上記右画面、左画面をそれぞれ切り取ったときに不要となる映像の上下部分をカットするように構成した光学系とを備え、上記右画面、左画面のそれぞれの概略中央に映像の概略中心であることを示すマークを、上記立体写真型の３次元立体映像の不要となる映像の上記カットされる部分に配設するように構成したことを特徴とする。
【００１１】
そして、さらに本発明は、上記立体写真型の３次元立体映像を取り入れるための光学部分に、画像を広角にする広角手段を配設するように構成したことを特徴とする。
【００１２】
このように構成することによって、立体写真型では、テレビ画面等の画面に対して中央の位置からしかも縦長の画面でしか見えなかったものを、シャッタ付き眼鏡や偏光眼鏡等の特殊眼鏡をかけることにより、たくさんの人が同時に、しかも横長の画面で見られる。また、上記構成の３次元立体映像信号変換装置をビデオカメラ装置に組み込むことによって、このビデオカメラ装置の撮影レンズの前に立体写真撮影用の光学アダプター装置を付けるだけで、フィールド毎に交互に右眼用の拡大された画面と左眼用の拡大された画面がくるようにした映像信号を出力したり、ＶＴＲ等の記録再生装置で記録再生したりすることが可能となる。
【００１３】
そして、さらに左右それぞれの画をつくるために拡大しても、最初に広角にしてから撮影しているので、拡大されたのが打ち消されることになり、立体写真撮影のための光学アダプター装置をビデオカメラ装置に装着するまえの、もとのビデオカメラ装置の撮影レンズの画角に近いものとなり、より自然で見易い状態で見られる。
【００１４】
【発明の実施の形態】
以下、本発明の具体的な実施の形態例について図面を参照して説明する。
【００１５】
〔第１の実施形態例〕
図１及び図３は、この発明の第１の実施形態例のビデオカメラ装置１及び該ビデオカメラ装置１のビデオカメラ本体２に接続された３次元立体映像信号変換装置４０を示す。このビデオカメラ装置１は、そのビデオカメラ本体２の前側に立体写真撮影用の光学アダプター装置２０を着脱自在に取付けると共に、該ビデオカメラ本体２の後側に拡大レンズ１４の付いたアイカップ１５を着脱自在に取付けてある。また、３次元立体映像信号変換装置４０は、その筐型の装置本体４１の前面に３つの調整用操作つまみ４２を設けてある。さらに、３次元立体映像信号変換装置４０には、ビデオテープレコーダ（ＶＴＲ）５０とシャッタ眼鏡付きの立体視装置６０とを接続してある。
【００１６】
図１〜図３に示すように、ビデオカメラ装置１のビデオカメラ本体２は合成樹脂等により筐型に形成してあり、該ビデオカメラ本体２には撮像部としての固体撮像素子（ＣＣＤ）３を内蔵してある。この固体撮像素子３で撮影した映像信号は、増幅器４と映像信号処理回路５及び映像記録／再生回路６を介してビデオカメラ本体２に内蔵されたＶＴＲ７により記録／再生されるようになっている。映像記録／再生回路６には液晶ドライブ回路８を介して小型モニタとしての液晶ディスプレイ（ＬＣＤ）９を接続してある。また、ビデオカメラ本体２の前面の固体撮像素子３に対向する位置には撮影レンズ１０を配置してあると共に、該前面の上側にはマイクロフォン１２を取付けてある。さらに、ビデオカメラ本体２の左側面には切換スイッチ１３を配設してある。
【００１７】
図２，図３に示すように、ビデオカメラ装置１のビデオカメラ本体２のフィルタ取付用ねじ部（マウント部）１１には、立体写真撮影用の光学アダプター装置２０を着脱自在に螺着されるようになっている。この立体写真撮影用の光学アダプター装置２０の外筐を形成する合成樹脂製等のケース（画像取り込み部）２１の左右両側傾斜壁２１ａ，２１ｂの内面には、左右一対の平面反射鏡２２Ｌ，２２Ｒを配置してある。また、ケース２１内の中央のついたて２３の後方には該ついたて２３とで三角筒状になると共に、上記一対の平面反射鏡２２Ｌ，２２Ｒと概略平行に対向する左右一対の平面反射鏡２４Ｌ，２４Ｒを配置してある。これにより、眼幅Ｄ（Ｄ≒６５ｍｍ）だけ離れた左右の眼から見たものに相当する映像が左半分、右半分に集光されて撮影レンズ１０に入るようになっている。また、上記ケース２１の後部にはねじ部２５を形成してあり、該ねじ部２５が上記ビデオカメラ本体２のフィルタ取付用ねじ部１１に着脱自在に螺着されるようになっている。
【００１８】
図１〜図３に示すように、光学アダプター装置２０のケース２１の前壁側に形成された画像取り込み部となる矩形状で左右一対の開口部２１ｃ，２１ｄには、広角アダプター（広角手段）３０を嵌め込み取り外し（着脱）自在に装着できるようになっていて、上記光学アダプター装置２０と一体に使えるようになっている。この広角アダプター３０は、矩形の枠部３１と、この枠部３１の正面側に形成された左右一対の開口部３１ａ，３１ｂ内に嵌め込まれた一対の凹レンズ（広角手段）３２Ｌ，３２Ｒとで構成されている。上記枠部３１の一対の開口部３１ａ，３１ｂ、即ち一対の凹レンズ３２Ｌ，３２Ｒは、光学アダプター装置２０のケース２１の画像取り込み部となる左右一対の開口部２１ｃ，２１ｄを十分カバーする大きさに形成してある。
【００１９】
図３に示すように、３次元立体映像信号変換装置４０の装置本体４１の映像信号入力端子４１ａは、ビデオカメラ本体２の映像記録／再生回路６の映像信号出力端子６ａに接続されている。このビデオカメラ本体２の映像記録／再生回路６の映像信号の出力信号が３次元立体映像信号変換装置４０に入力されると、上記装置本体４１に内蔵された３次元立体映像信号変換回路４３により処理される。即ち、映像記録／再生回路６からの映像出力信号（ＯＵＴ）をＡ（アナログ）／Ｄ（ディジタル）信号変換回路４４によりＡ／Ｄ変換した後で２次元メモリー４５に記憶し、この中から操作つまみ４２及び同期分離回路（Ｓｙｎｃ  ＳＥＰ）４７を接続したタイミングコントローラ４８により任意のタイミングで任意の拡大率（基点Ｘ1，Ｘ2、拡大率Ｘ，Ｙとする）で画像を一旦拡大してから切り取るようにしてある。そして、この３次元立体映像信号変換回路４３により切り取られて、画面いっぱいに拡大された左眼用の映像信号と右眼用の映像信号は、フィールド毎に交互に左眼用の映像信号と右眼用の映像信号が入った３次元立体映像信号に変換され、Ｄ／Ａ信号変換回路４６を介して装置本体４１の映像信号出力端子４１ｂに一つの映像信号（Ｓ）として出力されるようになっている。
【００２０】
図３に示すように、ＶＴＲ５０と立体視装置としてのテレビジョン受像機６０とは、３次元立体映像信号変換装置４０の映像信号出力端子４１ｂにそれぞれ接続されている。このテレビジョン受像機６０では、そのブラウン管（画面）６１に映し出された例えば図４（Ｃ），（Ｄ）に示す左，右眼用の映像ｅL，ｅRをシャッタ付き眼鏡（特殊眼鏡）７０を使用して立体視するものである。即ち、シャッタ付き眼鏡７０のフレーム７１の左右のレンズ取付枠部分には、液晶シャッタ７２Ｌ，７２Ｒが入っていると共に、該フレーム７１の中央には図示しない受光部を取付けてある。この受光部は、テレビジョン受像機６０上に設置された赤外線発光装置６２からの同期信号をコード化した赤外線を受光するものである。そして、シャッタ付き眼鏡７０の受光部で赤外線発光装置６２の信号を受光し、シャッタ付き眼鏡７０の左右一対の液晶シャッタ７２Ｌ，７２Ｒを上記各映像ｅL，ｅRに合わせて交互に開閉することにより立体視できるようになっている。
【００２１】
以上第１の実施形態例のビデオカメラ装置１と３次元立体映像信号変換装置４０とＶＴＲ５０及びテレビジョン受像機６０からなる立体視システムを用いて、ビデオカメラ装置１で撮影した図４（Ａ）に示すような映像ａを立体視しようとする場合には、まず、図２に示すように、ビデオカメラ装置１のビデオカメラ本体２のフィルタ取付用ねじ部１１に立体写真撮影用の光学アダプター装置２０と広角アダプター３０の一体となったものを取付ける。
【００２２】
そして、図４（Ａ）に示すような情景ａ（海を背景にした女性の映像）を撮影する。この時、立体写真撮影用の光学アダプター装置２０によって、図４（Ｂ）に示すように、右眼で見た映像ｂRと左眼で見た映像ｂLが、一枚の画面ｂに半分半分になるようにされ、撮影レンズ１０に入光される（ここで、女性に対し背景のヤシの木、ヨット、雲等が、その距離により左右の眼の視差のため微妙にずれている）。
【００２３】
ここで、図４（Ａ）は、立体写真撮影用の光学アダプター装置２０をビデオカメラ本体２に取付けていないときの画角であり、そのときどの範囲までが写っているかを示している。そして、図４（Ｂ）では、広角アダプター３０を付けたので、概略１／２倍となり、それゆえ、図４（Ａ）と同じ画角の画を左右に２枚写すことが可能となっている。もし、光学アダプター装置２０に広角アダプター３０を付けていないならば、図４（Ｂ）の左右の映像ｂL，ｂRは、図４（Ａ）の概略１／４の面積の部分しか写すことができず、その結果、例えば顔だけとかをズームアップした形のものになってしまう。ところで、３次元立体画像において、立体を感じるには前景、中景、遠景というように距離を対比できるものを一つの画面におくことがより強く立体感を得るのに重要なことである。この意味で、広角アダプター３０の役目は大変重要である。また、図４（Ｂ）からわかるように、上下の部分がカットされているが、これは立体写真撮影用の光学アダプター装置２０を本発明の目的に沿い、あとで不要となる図４（Ｂ）の上下部を最初から入光せず、上下部の部分を写す光学系を省いているからであり、その結果、光学アダプター装置２０を小型にすることが可能になっている。
【００２４】
ビデオカメラ装置１の撮影レンズ１０を通った図４（Ｂ）に示す映像ｂはビデオカメラ本体２のＣＣＤ３に映って撮影される。そして、この映像ｂがビデオカメラ本体２に内蔵されたＶＴＲ７により記録／再生され、この際にビデオカメラ本体２の映像信号出力端子６ａから出力される。また、上記映像ｂは小型モニターとしてのＬＣＤ９にも映り、これは、図４（Ｂ）のように見えるので、撮影者はどの範囲を撮っているか認識しながら撮影できる。
【００２５】
次に、上記ビデオカメラ本体２の映像出力信号（ＯＵＴ）が３次元立体映像信号変換装置４０に入力されると、３次元立体映像信号変換回路４３により処理される。即ち、図４（Ｂ）に示す映像ｂは、左眼用として映像ｂLの部分（左半分のハッチングの内側）が３次元立体映像信号変換回路４３により切り取られ、画面いっぱいに拡大され図４（Ｃ）に示す切り取り拡大映像ｅLのようになり、また、右眼用としては図４（Ｂ）の映像ｂRの部分（右半分のハッチングの内側）が３次元立体映像信号変換回路４３により切り取られ、画面いっぱいに拡大され図４（Ｄ）に示す切り取り拡大映像ｅRのようになる。そして、３次元立体映像信号変換装置４０の映像信号出力端子４１ｂからの出力信号としては、左眼用の画像ｅLと右眼用の映像ｅRがフィールド毎に交互に来るようになっている１つの映像信号Ｓとして出力される。図３に示すように、一つの映像信号Ｓは、通常の別のＶＴＲ５０によって録画／再生可能であり、シャッタ付き眼鏡７０を介してテレビジョン受像機６０で見れば、多人数で立体視できる。
【００２６】
以上の説明では、図４（Ｂ）の映像ｂLの範囲すべてを切取るようにしたが、実際には映像ｂLより多少小さめの部分で周囲に余裕をもって切取ってもよい。また、上述の立体視システムでは、立体写真型映像信号としてフィルドシーケンシャル立体信号（フィールド毎に交互に右眼用、左眼用の画像がでるようにする信号）で、これをテレビジョン受像機６０のブラウン管６１に写し、シャッタ付き眼鏡７０で見る方法を示したが、これに限定されず、立体写真型映像信号として、右眼用の映像信号と左眼用の映像信号の２つのそれぞれ独立した映像信号を作り、これを、偏光方向が横，縦方向の各偏光板を備えた２台の液晶プロジェクタによりスクリーン上にそれぞれ偏光方向を直交させた画像を投影し、これを偏光眼鏡（特殊眼鏡）で見ることにより、大勢の観察者が立体視を簡単に楽しむことができるようにしてもよい。
【００２７】
〔第２の実施形態例〕
図５〜図８は、第２の実施形態例を示す。前記第１の実施形態例の立体写真撮影用の光学アダプター装置は、映像の上下部分がカットされる光学系となっているが、第２の実施形態例のビデオカメラ装置（撮影装置）１に用いられる立体写真撮影用の光学アダプター装置２０は、ケース（画像取り込み部）２１の左右一対の開口部２１ｃ，２１ｄが縦長になっていて映像の上下部分がカットなしのフルサイズの光学系となっており、広角アダプター３０の左右一対の凹レンズ（広角手段）３２Ｌ，３２Ｒで映像の上下部分をカットするようになっている。そして、一対の凹レンズ３２Ｌ，３２Ｒの中央の上方の枠部３１には、左右一対のマーク用孔３１ｃ，３１ｄがそれぞれ形成されていて、右側のマーク用孔３１ｄには赤色のフィルター（光学的な手段）ｆRが、左側のマーク用孔３２ｃには緑色のフィルター（光学的な手段）ｆLが、それぞれ内蔵されている。これは、例えば、図８（Ａ）に示すようにモニター上に映せば、左右の画の中央に緑色のマークＭLと赤色のマークＭRが入ることになる。この各マークＭL，ＭRは以下に説明するように大変便利なものである。
【００２８】
まず、上記各マークＭL，ＭRは、撮影時に被写体の中心を該各マークＭL，ＭRに合わすことができて非常に便利である。図８（Ｂ），（Ｃ）は、シャッタ付き眼鏡７０等のビューアを使用しないで、平行法等により裸眼で立体視している様子を示す。図８（Ｂ）は、小型液晶モニター６０′に左右の映像を映し出し、これをいわゆる平行法（遠くをながめる視線、つまり平行に近い視線で見る方法）による裸眼立体視で見ているところである。このとき、広角アダプター３０の枠部３１の正面の上の各フィルターｆL，ｆR即ち各マークＭL，ＭRを見て、緑色と赤色が重なるように両眼の視線を方向ずけすれば、その時点で立体平行視することができる。このように、各マークＭL，ＭRを立体視用のめやすにすることができる。
【００２９】
また、図８（Ｃ）は、図示しないビデオプリンターを用いて一旦映像を葉書サイズの紙Ｐにプリントし、立体写真にして立体視しているところである。ここでも各マークＭL，ＭRは立体視用のめやすとなって役に立つ。ここで、各マークＭL，ＭRを枠部３１の中に入れたが、画像の中に入れてもよい。また、ここでは光学的にマークを入れたが、電気的に画像処理してマークを入れるようにしてもよい。また、色を赤や緑にしたが、たんに白色としても良い（適宜必要に応じて変更しても良い）。
【００３０】
〔第３の実施形態例〕
図９，図１０は、第３の実施形態例を示す。この第３の実施形態例のビデオカメラ装置１のフィルター取付用ねじ部１１には立体写真撮影用の光学アダプター装置２０′が着脱自在に装着されるようになっている。この光学アダプター装置２０′の画像取り込み部となるレンズ鏡筒２１′内の後部側（ねじ部２５側）には、前記各実施形態例の平面反射鏡２２Ｌ，２２Ｒ，２４Ｌ，２４Ｒの代わりに平面（上から見て）楔型のエッジプリズム（三角プリズム）２６′を配置してあると共に、該レンズ鏡筒２１′の前面側には凹レンズ（広角レンズ）３２を配置してある。尚、レンズ鏡筒２１′と取付ねじ部２５とは接合部２６で回動可能であり、水平方向など調整が可能となっている。
【００３１】
エッジプリズムを用いて立体写真的映像を撮る方法としては、従来技術で開示した特開昭５９−３０３９０号公報の技術が知られている。この技術では撮ったものをそのままテレビジョン受像機等に映して立体視するので問題なかったが、本実施形態例では拡大して映し出すので、広角にする手段として凹レンズ３２をレンズ鏡筒２１′に内蔵させた。このレンズ鏡筒２１′の後側にエッジプリズム２６′を配置したので、外観は通常のコンバージョンレンズと同じ形状をしているので、前記第１及び第２の実施形態例のように、いかにも立体映像を撮影しているという感じではなく、まわりの人に気をかけられることなく、立体撮影が可能となるメリットがある。
【００３２】
また、エッジプリズム２６′を使うやり方では、凹レンズ３２に対して一定の角度をもった２枚の左右の画を映すことになり、例えば、室内用として２〜５ｍにおいて立体感をうまく表現できる角度に設定すると、屋外ではうまく立体感が出ない不都合が生じる虞れがある。この不都合を解決するようにしたのが、後述する図１１〜図１３に示す第４の実施形態例である。
【００３３】
〔第４の実施形態例〕
図１１〜図１３は第４の実施形態例を示す。この第４の実施形態例のビデオカメラ装置１のフィルター取付用ねじ部１１には、立体写真撮影用の光学アダプター装置２０″が着脱自在に装着されるようになっていて、前記第３の実施形態例ではエッジプリズム２６′による投影光の曲げ角が一定であったものを調節可能としたものである。即ち、アダプター装置２０″は、可変三角プリズム（光学部材）２６″と、この可変三角プリズム２６″を内蔵したフード型のホルダー（画像撮り込み部）２１″と、上記可変三角プリズム２６″の左右正面に貼られた透明板ガラス（透明な薄板）２３″，２３″と、上記可変三角プリズム２６″の正面中央の上下部に設けられた一対の引っ掛け部２７，２７と、この一対の引っ掛け部２７，２７に嵌合する一対の突起２８ａ，２８ａを有してホルダー２１″内の左前側に上下一対のピン部２８ｂ，２８ｂを介して前後方向に揺動自在に支持された四角枠状のアーム２８とで大略構成されている。
【００３４】
図１２，図１３に示すように、可変三角プリズム２６″は、上から見て二等辺三角形のエッジプリズムの形状をなしている。即ち、可変三角プリズム２６″は、左，右正面及び背面の３面を各透明板ガラス２３″，２３″，２３″で構成し、これら各面の間はシリコンゴムなどの可撓性の蛇腹部２９になっている。この蛇腹部２９と上記各透明板ガラス２３″は密閉され、中に図示しない無色透明なシリコンオイルが封入されている。そして、大きな後ろ側の透明板ガラス２３″をホルダー２１″に固定し、各引っ掛け部２７を前後させれば中のシリコンオイルの量は一定であるから可変三角プリズム２６″の頂点の角度を可変させることができるようになっている。即ち、可変三角プリズム２６″はホルダー２１″内に収められており、後ろ側の透明板ガラス２３″がホルダー２１″内に固着されている。また、ホルダー２１″内に各ピン２８ｂを介して前後方向に移動自在（揺動自在）にされたアーム２８はホルダー２１″の右側面の外側にスライド自在にされた投影角調整手段としてのつまみ２８Ａにより前後移動するようになっている。このつまみ２８Ａを前後することにより、可変三角プリズム２６″の頂点の角度を変えることができるようになっている。
【００３５】
さらに、光学アダプター装置２０″のホルダー２１″の後部の開口側には、リング２５″を回動自在に支持してある。このリング２５″の外周面にはねじ部２５が形成してあり、該ねじ部２５は上記ビデオカメラ装置１の取付用ねじ部１１に螺着自在になっている。また、光学アダプター装置２０″のホルダー２１″の前面には画像取り込み部となる開口部２１ｃを全面開口してある。この開口部２１ｃには、広角アダプター（広角手段）３０″を嵌め込み取り外し（着脱）自在に装着できるようになっていて、上記光学アダプター装置２０″と一体に使えるようになっている。この広角アダプター３０″は、矩形の枠部３１と、この枠部３１の正面側に全面開口された開口部内に嵌め込まれた凹レンズ（広角手段）３２とで構成されている。
【００３６】
そして、光学アダプター装置２０″のホルダー２１″の前側に嵌め込んである広角アダプター３０″を外して前記特開昭５９−３０３９０号公報に開示した技術用のビデオカメラとして、被写体や撮影場所などや目的に合わせ可変三角プリズム２６″の頂点の角度を変えて使っても大変便利に使えるものである。また、ビデオカメラのオートフォーカス装置などと連動させ、被写体の位置とプリズムの角度を連動させ、自動調整されるようにしてもよい。
【００３７】
以上のように、前記各実施形態例によれば、まず広角にして次に左右の映像を取り入れるようにしてあるが、これは例えば逆に左右の映像を取り込み、次に広角にすれば光学上同等の効果があると一見考えられるが、この場合広角の画等をカバーするのに十分大きな左右の映像の取り込み部を作る必要があり、これでは画像取り込み部が大変大きなものになってしまうが、前記各実施形態例では、まず広角にしてから撮影するようにしたので、画像取り込み部を小型にすることができる。
【００３８】
また、立体写真型の３次元立体映像信号としてのフィールドシーケンシャルな立体信号では、立体写真の一部を切り取り拡大して一枚の画にするため、結果としてズームすることになったが、前記各実施形態例では、まず広角手段により広角にしてから撮影するようにしたので、３次元立体映像信号を作るのに拡大しても画角はもとのままで済むことになる。特に立体映像では、前景中景遠景とか比較するものがあると立体感がよく出るし、またズームしたものには立体感が乏しいということがあったが、広角手段により画角を変えずに立体撮影が可能となり、広角の立体感のある迫力ある立体映像が得られるようになった。
【００３９】
【発明の効果】
以上のように、請求項１に記載の発明によれば、立体写真型の３次元立体映像の映像信号の右画面、左画面をそれぞれ切り取ったときに不要となる映像の上下部分を最初から入光せず、上下部分を写す光学系を省いているので、光学アダプター装置を小型にすることができる。また、裸眼立体視を行うときのめやすとして役立つ。
また請求項２に記載の発明によれば、まず広角手段により広角にしてから撮影するようにしたので、３次元立体映像信号を作るのに拡大しても画角はもとのままで済むことになる。特に立体映像では、前景中景遠景とか比較するものがあると立体感がよく出るし、またズームしたものには立体感が乏しいということがあったが、広角手段により画角を変えずに立体撮影が可能となり、広角の立体感のある迫力ある立体映像を得ることができる。
【図面の簡単な説明】
【図１】本発明の第１の実施形態例を示すビデオカメラ装置及び３次元立体映像信号変換装置の斜視図。
【図２】上記ビデオカメラ装置のビデオカメラ本体と、該ビデオカメラ本体に着脱される立体写真撮影用の光学アダプター装置及び広角アダプターの斜視図。
【図３】上記ビデオカメラ装置と３次元立体映像信号変換装置とＶＴＲ及びテレビジョン受像機からなる立体視システムのブロック図。
【図４】（Ａ）は上記ビデオカメラ装置で撮影する背景の説明図、（Ｂ）は同ビデオカメラ装置のＣＣＤで撮影される左右の映像を切る取る際の説明図、（Ｃ）は同切り取られて拡大された左眼用の映像の説明図、（Ｄ）は同切り取られて拡大された右眼用の映像の説明図。
【図５】第２の実施形態例のビデオカメラ装置のビデオカメラ本体と、該ビデオカメラ本体に着脱される立体写真撮影用の光学アダプター装置及び広角アダプターの斜視図。
【図６】上記第２の実施形態例のビデオカメラ装置のビデオカメラ本体と、該ビデオカメラ本体に着脱される立体写真撮影用の光学アダプター装置及び広角アダプターの分離状態を示す斜視図。
【図７】（Ａ）は上記第２の実施形態例のビデオカメラ装置で撮影する背景の説明図、（Ｂ）は同ビデオカメラ装置のＣＣＤで撮影される左右の映像を切る取る際の説明図、（Ｃ）は同切り取られて拡大された左眼用の映像の説明図、（Ｄ）は同切り取られて拡大された右眼用の映像の説明図。
【図８】（Ａ）は上記第２の実施形態例のビデオカメラ装置により左眼用の映像と右眼用の映像を同時に画面に映し出した状態を示す説明図、（Ｂ）は平行法による立体視の状態を示す説明図、（Ｃ）はプリントによる立体視の状態を示す説明図。
【図９】第３の実施形態例のビデオカメラ装置と、該ビデオカメラ装置のビデオカメラ本体に着脱される立体写真撮影用の光学アダプター装置の斜視図。
【図１０】上記第３の実施形態例の光学アダプター装置の要部の断面図。
【図１１】第４の実施形態例のビデオカメラ装置のビデオカメラ本体と、該ビデオカメラ本体に着脱される立体写真撮影用の光学アダプター装置及び広角アダプターの斜視図。
【図１２】上記第４の実施形態例の光学アダプター装置と広角アダプターを分離した状態を示す斜視図。
【図１３】上記第４の実施形態例の光学アダプター装置の要部の拡大斜視図。
【符号の説明】
１…ビデオカメラ装置、２０，２０′，２０″…光学アダプター装置、２１，２１′，２１″…画像取り込み部、２６′，２６″…三角プリズム（光学部材）、３２，３２Ｌ，３２Ｒ…広角手段、４０…３次元立体映像信号変換装置、ＭL，ＭR…マーク。
【図１】
0003689976.tif 000002
【図２】
0003689976.tif 000003
【図３】
0003689976.tif 000004
【図４】
0003689976.tif 000005
【図５】
0003689976.tif 000006
【図６】
0003689976.tif 000007
【図７】
0003689976.tif 000008
【図８】
0003689976.tif 000009
【図９】
0003689976.tif 000010
【図１０】
0003689976.tif 000011
【図１１】
0003689976.tif 000012
【図１２】
0003689976.tif 000013
【図１３】
0003689976.tif 000014